(57)【要約】【課題】接眼検知手段による誤検知によってユーザの意図しない動作が実行される可能性を減少させることが可能な技術を提供する。【解決手段】撮像装置１Ａは、撮影光学系を通過した被写体光をファインダ窓に導く光学ファインダと、ファインダ窓への所定物体の接近を検知する接近検知部３２２と、ファインダ窓から撮像装置１Ａ内への外光の進入を遮断する遮光状態と、外光の進入を遮断しない非遮光状態との間で状態切替が可能なアイピースシャッターと、アイピースシャッターによる遮光状態を検出する開閉状態検出部４３と、接近検知部３２２による所定物体の検知に応じて所定動作の実行指示を行う指示制御部６２６とを備え、指示制御部６２６は、開閉状態検出部４３によって遮光状態が検出された場合は、所定物体の検知に応じた実行指示を行わない。【選択図】図９
2009198684.tif 000002
【特許請求の範囲】
【請求項１】
撮像装置であって、
撮影光学系を通過した被写体光をファインダ窓に導く光学ファインダ手段と、
前記ファインダ窓への所定物体の接近を検知する接近検知手段と、
前記ファインダ窓から前記撮像装置内への外光の進入を遮断する遮光状態と、前記外光の進入を遮断しない非遮光状態との間で状態切替が可能な遮光手段と、
前記遮光手段による前記遮光状態を検出する状態検出手段と、
前記接近検知手段による前記所定物体の検知に応じて所定動作の実行指示を行う指示制御手段と、
を備え、
前記指示制御手段は、前記状態検出手段によって前記遮光状態が検出された場合は、前記所定物体の検知に応じた前記実行指示を行わないことを特徴とする撮像装置。
【請求項２】
請求項１に記載の撮像装置において、
前記被写体光を受光して位相差検出信号を生成する位相差検出部、
をさらに備え、
前記所定動作は、前記位相差検出信号に基づいて実行される焦点検出動作を含むことを特徴とする撮像装置。
【請求項３】
請求項１に記載の撮像装置において、
前記所定動作は、被写体に係る輝度値を測定する測光動作を含むことを特徴とする撮像装置。
【請求項４】
請求項１に記載の撮像装置において、
前記撮像装置のブレを検出するブレ検出手段、
をさらに備え、
前記所定動作は、前記ブレ検出手段によって検出される前記撮像装置のブレに応じて実行されるブレ補正動作を含むことを特徴とする撮像装置。
【請求項５】
請求項１に記載の撮像装置において、
表示部、
をさらに備え、
前記所定動作は、前記表示部をオフする自動消灯動作を含むことを特徴とする撮像装置。
【請求項６】
撮像装置であって、
撮影光学系を通過した被写体光をファインダ窓に導く光学ファインダ手段と、
前記ファインダ窓への所定物体の接近を検知する接近検知手段と、
前記ファインダ窓から前記撮像装置内への外光の進入を遮断する遮光状態と、前記外光の進入を遮断しない非遮光状態との間で状態切替が可能な遮光手段と、
前記遮光手段による前記遮光状態を検出する状態検出手段と、
前記接近検知手段による前記所定物体の検知に応じて所定動作を実行させる動作制御手段と、
を備え、
前記動作制御手段は、前記状態検出手段によって前記遮光状態が検出された場合は、前記所定物体の検知に応じた前記所定動作の実行を禁止することを特徴とする撮像装置。
【請求項７】
撮像装置であって、
撮影光学系を通過した被写体光をファインダ窓に導く光学ファインダ手段と、
前記ファインダ窓への所定物体の接近を検知する接近検知手段と、
前記ファインダ窓から前記撮像装置内への外光の進入を遮断する遮光状態と、前記外光の進入を遮断しない非遮光状態との間で状態切替が可能な遮光手段と、
前記遮光手段の前記遮光状態を検出する状態検出手段と、
前記状態検出手段によって前記遮光状態が検出された場合は、前記接近検知手段を非能動化する非能動化手段と、
を備えることを特徴とする撮像装置。
【発明の詳細な説明】
【技術分野】
【０００１】
本発明は、光学ファインダを有する撮像装置に関する。
【背景技術】
【０００２】
一般に、撮影の際の構図決め（フレーミング）は、ファインダ窓を覗いて被写体像を視認可能な光学ファインダ、或いは、被写体像に関する画像を表示部に連続的に表示させる電子ビューファインダ（ＥＶＦ）を用いて行われる。
【０００３】
光学ファインダを有する撮像装置（カメラ）の中には、撮影者がファインダ窓を覗いているか否かを検知する接眼検知機能を備えたカメラが存在する。そして、当該接眼検知機能を備えたカメラにおいては、接眼を検知すると、ユーザはフレーミングを行っているものとみなして、所定の動作を実行するものがある。
【０００４】
例えば、特許文献１に記載のカメラでは、ファインダ窓の傍に設けられた接眼検知手段によって接眼が検知されると、自動合焦（ＡＦ）動作が自動的に開始される。
【０００５】
【特許文献１】特開平４−３４７８１４号公報
【発明の開示】
【発明が解決しようとする課題】
【０００６】
しかしながら、上記特許文献１に記載の技術では、ユーザの手が接眼検知手段の近くを通過した場合等、ユーザが光学ファインダの使用を意図しないときに、接眼検知手段は、接眼を検知したものとして誤検知する可能性がある。このような誤検知が生じると、接眼検知に応じて所定の動作を実行するカメラにおいては、ユーザの意図しない動作が実行されることになる。
【０００７】
そこで、本発明は、接眼検知手段による誤検知によってユーザの意図しない動作が実行される可能性を減少させることが可能な技術を提供することを目的とする。
【課題を解決するための手段】
【０００８】
本発明の第１の側面は、撮像装置であって、撮影光学系を通過した被写体光をファインダ窓に導く光学ファインダ手段と、前記ファインダ窓への所定物体の接近を検知する接近検知手段と、前記ファインダ窓から前記撮像装置内への外光の進入を遮断する遮光状態と、前記外光の進入を遮断しない非遮光状態との間で状態切替が可能な遮光手段と、前記遮光手段による前記遮光状態を検出する状態検出手段と、前記接近検知手段による前記所定物体の検知に応じて所定動作の実行指示を行う指示制御手段とを備え、前記指示制御手段は、前記状態検出手段によって前記遮光状態が検出された場合は、前記所定物体の検知に応じた前記実行指示を行わないことを特徴とする。
【０００９】
また、本発明の第２の側面は、撮像装置であって、撮影光学系を通過した被写体光をファインダ窓に導く光学ファインダ手段と、前記ファインダ窓への所定物体の接近を検知する接近検知手段と、前記ファインダ窓から前記撮像装置内への外光の進入を遮断する遮光状態と、前記外光の進入を遮断しない非遮光状態との間で状態切替が可能な遮光手段と、前記遮光手段による前記遮光状態を検出する状態検出手段と、前記接近検知手段による前記所定物体の検知に応じて所定動作を実行させる動作制御手段とを備え、前記動作制御手段は、前記状態検出手段によって前記遮光状態が検出された場合は、前記所定物体の検知に応じた前記所定動作の実行を禁止することを特徴とする。
【００１０】
また、本発明の第３の側面は、撮像装置であって、撮影光学系を通過した被写体光をファインダ窓に導く光学ファインダ手段と、前記ファインダ窓への所定物体の接近を検知する接近検知手段と、前記ファインダ窓から前記撮像装置内への外光の進入を遮断する遮光状態と、前記外光の進入を遮断しない非遮光状態との間で状態切替が可能な遮光手段と、前記遮光手段の前記遮光状態を検出する状態検出手段と、前記状態検出手段によって前記遮光状態が検出された場合は、前記接近検知手段を非能動化する非能動化手段とを備えることを特徴とする。
【発明の効果】
【００１１】
本発明によれば、指示制御手段は、遮光手段の遮光状態が検出された場合は、接眼検知手段による所定物体の検知に応じた所定動作の実行指示を行わないので、誤検知によってユーザの意図しない動作が実行される可能性を減少させることが可能になる。
【発明を実施するための最良の形態】
【００１２】
以下、本発明の実施形態について図面を参照して説明する。
【００１３】
＜１．第１実施形態＞
＜撮像装置１Ａの外観構成＞
図１および図２は、本発明の第１実施形態に係る撮像装置１Ａの外観構成を示す図である。ここで、図１および図２は、それぞれ正面図および背面図を示している。
【００１４】
撮像装置１Ａは、例えば一眼レフレックスタイプのデジタルスチルカメラとして構成されており、カメラボディ１０と、カメラボディ１０に着脱自在な交換レンズとしての撮影レンズユニット２とを備えている。
【００１５】
具体的には、図１に示されるように、カメラボディ１０の正面側には、正面略中央に撮影レンズユニット２が装着されるマウント部３０１と、マウント部３０１の右横に配置されたレンズ交換ボタン３０２と、把持可能とするためのグリップ部３０３と、正面左上部に配置されたモード設定ダイアル３０５と、正面右上部に配置された制御値設定ダイアル３０６と、グリップ部３０３の上面に配置されたシャッターボタン（レリーズボタン）３０７とが設けられている。
【００１６】
撮影レンズユニット２は、被写体像を形成する光（被写体光）を取り込むレンズ窓として機能するとともに、当該被写体光をカメラボディ１０の内部に配置されている撮像素子１０１に導くための撮影光学系として機能する。
【００１７】
より詳細には、撮影レンズユニット２は、光軸ＬＴに沿って直列的に配置された複数のレンズからなるレンズ群２１を備えている(図５参照)。このレンズ群２１には、焦点の調節を行うためのフォーカスレンズ２１１(図５)と、変倍を行うためのズームレンズ２１２(図５)とが含まれており、それぞれ光軸ＬＴ方向に駆動されることで、焦点調節または変倍が行われる。また、撮影レンズユニット２には、その鏡胴の外周適所に当該鏡胴の外周面に沿って回転可能な操作環が備えられており、上記のズームレンズ２１２は、マニュアル操作或いはオート操作により、上記操作環の回転方向および回転量に応じて光軸ＬＴ方向に移動し、その移動先の位置に応じたズーム倍率(撮影倍率)に設定されるようになっている。
【００１８】
マウント部３０１には、装着された撮影レンズユニット２との電気的接続を行うためコネクタＥｃ(図５参照)、および機械的接続を行うためのカプラ７５(図５)が設けられている。
【００１９】
レンズ交換ボタン３０２は、マウント部３０１に装着された撮影レンズユニット２を取り外す際に押下されるボタンである。
【００２０】
グリップ部３０３は、撮影者（ユーザ）が撮影時に撮像装置１Ａを把持する部分であり、グリップ部３０３の表面には、フィッティング性を高めるために指の形状に合わせた凹凸が設けられている。なお、グリップ部３０３の内部には電池収納室およびカード収納室(不図示)が設けられている。電池収納室には撮像装置１Ａの電源として電池６９Ｂ(図５参照)が収納されており、カード収納室には撮影画像の画像データを記録するためのメモリカード６７(図５)が着脱可能に収納されるようになっている。なお、グリップ部３０３には、当該グリップ部３０３をユーザが把持したか否かを検出するためのグリップセンサを設けるようにしても良い。
【００２１】
モード設定ダイアル３０５および制御値設定ダイアル３０６は、カメラボディ１０の上面と略平行な面内で回転可能な略円盤状の部材からなる。モード設定ダイアル３０５は、撮像装置１Ａに搭載された各種モード（各種撮影モード（人物撮影モード、風景撮影モードおよびフルオート撮影モード等）、撮影した画像を再生する再生モードおよび外部機器との間でデータ交信を行う通信モード等）の選択を行うためのものである。一方、制御値設定ダイアル３０６は、撮像装置１Ａに搭載された各種の機能に対する制御値を設定するためのものである。
【００２２】
シャッターボタン３０７は、途中まで押し込んだ「半押し状態」と、さらに押し込んだ「全押し状態」とを検出可能な押下スイッチである。撮影モードにおいてシャッターボタン３０７が半押し（Ｓ１）されると、被写体の静止画を撮影するための準備動作（露出値の設定および焦点検出等の撮影準備動作）が実行され、シャッターボタン３０７が全押し（Ｓ２）されると、撮影動作（撮像素子１０１(図４参照)を露光し、その露光によって得られた画像信号に所定の画像処理を施してメモリカード６７等に記録する一連の動作）が実行される。
【００２３】
また、図２に示されるように、カメラボディ１０の背面側には、表示部として機能するＬＣＤ（Liquid Crystal Display）３１１と、ＬＣＤ３１１の上方に配設されたファインダ窓３１６と、ファインダ窓３１６の下部に設けられた接眼検知部３２２と、ファインダ窓３１６の周囲を囲むアイカップ３２１と、アイカップ３２１の左方に設けられた開閉つまみ３２０と、ファインダ窓３１６の左方に配設されたメインスイッチ３１７と、ファインダ窓３１６の右方に配設された露出補正ボタン３２３およびＡＥロックボタン３２４と、ファインダ窓３１６の上方に配設されたフラッシュ部３１８および接続端子部３１９とが備えられている。また、カメラボディ１０の背面側には、ＬＣＤ３１１の左方に配置された設定ボタン群３１２と、ＬＣＤ３１１の右方に配置された方向選択キー３１４と、方向選択キー３１４の中央に配置されたプッシュボタン３１５と、方向選択キー３１４の右下方に配置された表示切替スイッチ８５とが備えられている。
【００２４】
ＬＣＤ３１１は、画像表示が可能なカラー液晶パネルを備えており、撮像素子１０１(図３参照)により撮像された画像の表示または記録済みの画像の再生表示等を行うとともに、撮像装置１Ａに搭載される機能またはモードの設定画面を表示するものである。なお、ＬＣＤ３１１に代えて、有機ＥＬ表示装置またはプラズマ表示装置を用いるようにしてもよい。
【００２５】
ファインダ窓（接眼窓）３１６は、光学ファインダ（ＯＶＦ）を構成し、ファインダ窓３１６には、撮影レンズユニット２を通過した被写体像を形成する光（被写体光）が導かれている。ユーザは、このファインダ窓３１６を覗くことによって、実際に撮像素子１０１にて撮影される被写体像を視認することができる。
【００２６】
接眼検知部３２２は、近接物体の有無を検知する物体検知センサであり、撮影者によるＯＶＦ使用の有無を検知する。詳細は、後述する。
【００２７】
メインスイッチ３１７は、左右にスライドする２接点のスライドスイッチからなり、左にセットすると撮像装置１Ａの電源がオンされ、右にセットすると撮像装置１Ａの電源がオフされる。
【００２８】
フラッシュ部３１８は、ポップアップ式の内蔵フラッシュとして構成されている。また、外部フラッシュは、接続端子部３１９を用いてカメラボディ１０に取り付けられる。
【００２９】
アイカップ３２１は、ファインダ窓３１６への外光の進入を抑制する遮光部材として機能する。
【００３０】
開閉つまみ３２０は、撮像装置の内部（例えばファインダ窓３１６の内方）に設けられたアイピースシャッター１０８の開閉状態を切り替えるための部材である。
【００３１】
露出補正ボタン３２３は、露出値（絞り値およびシャッタースピード）を手動で調整するためのボタンであり、ＡＥロックボタン３２４は、露出を固定するためのボタンである。
【００３２】
設定ボタン群３１２は、撮像装置１Ａに搭載された各種の機能に対する操作を行うボタンである。この設定ボタン群３１２には、例えばメニュー画面をＬＣＤ３１１に表示させるメニューボタン、メニュー画面の内容を切り替えるメニュー切替ボタンなどが含まれる。
【００３３】
方向選択キー３１４は、円周方向に一定間隔で配置された複数の押圧部（図中の三角印の部分）を備える環状の部材を有し、各押圧部に対応して備えられた図示省略の接点（スイッチ）により押圧部の押圧操作が検出されるように構成されている。また、プッシュボタン３１５は、方向選択キー３１４の中央に配置されている。方向選択キー３１４およびプッシュボタン３１５は、撮影倍率の変更（ズームレンズ２１２(図５参照)のワイド方向またはテレ方向への移動）、ＬＣＤ３１１等に再生する記録画像のコマ送り、および撮影条件（絞り値、シャッタースピード、フラッシュ発光の有無等）の設定等の指示を入力するためのものである。
【００３４】
表示切替スイッチ８５は、２点のスライドスイッチからなり、接点を上段の「光学」位置に設定すると光学ファインダモード（「ＯＶＦモード」とも称する）が選択され、光学ファインダ視野内に被写体像が表示される。これにより、ユーザは、ファインダ窓３１６を介して光学ファインダ視野内に表示される被写体像を視認して、構図決め操作（フレーミング）を行うことが可能になる。
【００３５】
一方、表示切替スイッチ８５の接点を下段の「モニタ」位置に設定すると電子ファインダモード（「ＥＶＦモード」または「ライブビューモード」とも称する）が選択され、ＬＣＤ３１１において被写体像に係るライブビュー画像が動画的態様にて表示される。これにより、ユーザは、ＬＣＤ３１１に表示されるライブビュー画像を視認して、フレーミングを行うことが可能になる。
【００３６】
このように、ユーザは、表示切替スイッチ８５の操作によって、ファインダモードを切り替えることが可能であり、撮像装置１Ａでは、ライブビュー表示が行われる電子ファインダ、或いは光学ファインダを用いて被写体の構図決めを行うことが可能である。
【００３７】
＜撮像装置１Ａの内部構成＞
次に、撮像装置１Ａの内部構成について説明する。図３および図４は、撮像装置１Ａの縦断面図である。
【００３８】
図３に示すように、カメラボディ１０の内部には、撮像素子１０１、ファインダ部（「ファインダ光学系」とも称する）１０２、ミラー機構８、位相差ＡＦモジュール（単に「ＡＦモジュール」とも称する）１０７等が備えられている。
【００３９】
撮像素子１０１は、カメラボディ１０に撮影レンズユニット２が装着された場合の当該撮影レンズユニット２の光軸ＬＴ上において、光軸ＬＴに対して垂直に配置される。撮像素子１０１としては、例えばフォトダイオードを有して構成される複数の画素がマトリクス状に２次元配置されたＣＭＯＳカラーエリアセンサ（ＣＭＯＳ型の撮像素子）が用いられる。撮像素子１０１は、撮影レンズユニット２を通って結像された被写体像に関するＲ（赤）、Ｇ（緑）、Ｂ（青）各色成分のアナログの電気信号（画像信号）を生成し、Ｒ、Ｇ、Ｂ各色の画像信号として出力する。
【００４０】
また、撮像素子１０１は、ブレ補正ユニット１００によって光軸ＬＴと直交する平面において二次元的に移動可能に保持されている。
【００４１】
ブレ補正ユニット１００は、撮像装置１Ａ内のブレ検出部（例えば、ジャイロセンサ）９９（図５参照）により検出された振れ情報に基づき、撮像素子１０１を上下（Ｙ軸）方向および左右（Ｘ軸）方向にスライド移動させる。
【００４２】
撮像素子１０１の撮像面側には、シャッターユニット４０が配置されている。このシャッターユニット４０は、上下方向に移動する幕体を備え、光軸ＬＴに沿って撮像素子１０１に導かれる被写体光の光路開口動作および光路遮断動作を行うメカニカルフォーカルプレーンシャッターとして構成されている。なお、シャッターユニット４０は、撮像素子１０１が完全電子シャッター可能な撮像素子である場合には省略可能である。
【００４３】
また、図３に示されるように、撮影レンズユニット２から撮像素子１０１に至る光路（「撮影光路」とも称する）上には、ミラー機構８が設けられている。
【００４４】
ミラー機構８は、撮影光学系からの光を上方に向けて反射する主ミラー８１（主反射面）を有している。この主ミラー８１は、例えばその一部または全部がハーフミラーとして構成され、撮影光学系からの光の一部を透過させる。また、ミラー機構８は、主ミラー８１を透過した光を下方に反射させるサブミラー８２（副反射面）をも有している。
【００４５】
また、ミラー機構８は、所謂クイックリターンミラーとして構成されており、ミラーダウン状態とミラーアップ状態との間で姿勢を切り替えることが可能である。
【００４６】
具体的には、撮影モードにおいてシャッターボタン３０７が全押し状態Ｓ２にされるまで、換言すれば構図決めの際には、ミラー機構８はミラーダウン状態となるように配置される（図３参照）。そして、ミラーダウン状態では、撮影レンズユニット２からの被写体光は、主ミラー８１で上方に反射され観察用光束としてファインダ光学系１０２に入射し、ファインダ窓３１６に導かれる。
【００４７】
ファインダ光学系１０２は、ペンタプリズム１０５、接眼レンズ１０６、アイピースシャッター１０８、測光素子１０９およびファインダ窓３１６を備えている。
【００４８】
ペンタプリズム１０５は、断面５角形を呈し、その下面から入射された被写体像を内部での反射によって当該光像の天地左右を入れ替えて正立像にするためのプリズムである。
【００４９】
接眼レンズ１０６は、ペンタプリズム１０５により正立像にされた被写体像をファインダ窓３１６の外側に導く機能を有している。
【００５０】
アイピースシャッター１０８は、接眼レンズ１０６とファインダ窓３１６との間に設けられ、ファインダ窓３１６から撮像装置１Ａ内に進入する外光を遮断する遮光状態と、ファインダ窓３１６からの外光を遮らない非遮光状態との間で状態切替が可能な遮光（シャッター）手段として機能する。詳細は、後述する。
【００５１】
測光素子１０９は、ペンタプリズム１０５の上方に配置され、被写体の明るさ（被写体輝度）を測定する。当該被写体輝度は、露出値の設定に用いられる。
【００５２】
上記各部材を有するファインダ光学系１０２は、本撮影前の撮影待機時において被写界を確認するための光学ファインダとして機能する。
【００５３】
また、被写体光の一部は、主ミラー８１を透過し、サブミラー８２によって下方に反射され、ＡＦモジュール１０７へと導かれる。
【００５４】
ＡＦモジュール１０７は、被写体のピント情報を検出するラインセンサ等によって構成され、所謂ＡＦセンサとして機能する。このＡＦモジュール１０７は、ミラー機構８の底部に配設されており、被写体像の合焦度合いに応じた位相差検出信号を発生させる位相差検出機能を有している。すなわち、撮影待機時におけるミラーダウン状態においては、ＡＦモジュール１０７に導かれる被写体光に基づいて、ＡＦモジュール１０７から位相差検出信号が出力される。
【００５５】
一方、シャッターボタン３０７が全押し状態Ｓ２にされると、ミラー機構８はミラーアップ状態（図４参照）となるように駆動され、露光動作が開始される。
【００５６】
具体的には、図４に示すように、露光時には、ミラー機構８は、回転軸８３を支点として上方に向けて跳ね上がり、撮影光路から待避する。詳細には、撮影光学系からの光を遮らないように主ミラー８１とサブミラー８２とが上方に待避し、撮影レンズユニット２からの光がシャッターユニット４０の開放タイミングに合わせて撮像素子１０１に到達する。撮像素子１０１は、光電変換によって、受光した光束に基づいて被写体像に関する画像信号を生成する。このように、被写体からの光が撮影レンズユニット２を介して撮像素子１０１に導かれることによって、被写体に係る撮影画像（撮影画像データ）が得られる。
【００５７】
＜撮像装置１Ａの電気的構成＞
図５は、撮像装置１Ａの電気的な構成を示すブロック図である。図５中において、図１〜図４に表される部材と同一の部材については、同一の符号を付している。なお、説明の便宜上、撮影レンズユニット２の電気的構成について先に説明する。
【００５８】
撮影レンズユニット２は、上述した撮影光学系を構成するレンズ群２１に加え、レンズ駆動機構２４と、レンズ位置検出部２５と、レンズ制御部２６と、絞り駆動機構２７とを備えている。
【００５９】
レンズ群２１では、フォーカスレンズ２１１およびズームレンズ２１２と、撮像素子１０１へ入射される光量を調節するための絞り２３とが、鏡胴内において光軸ＬＴ方向に保持されており、レンズ群２１によって取り込まれた被写体光が撮像素子１０１に結像される。自動合焦（ＡＦ）制御では、フォーカスレンズ２１１が撮影レンズユニット２内のＡＦアクチュエータ７１Ｍにより光軸ＬＴ方向に駆動されることで焦点調節が行われる。
【００６０】
フォーカス駆動制御部７１Ａは、レンズ制御部２６を介して全体制御部６２から与えられるＡＦ制御信号に基づき、フォーカスレンズ２１１を合焦位置に移動させるために必要な駆動制御信号を生成し、当該駆動制御信号を用いてＡＦアクチュエータ７１Ｍを制御する。ＡＦアクチュエータ７１Ｍは、ステッピングモータ等からなり、レンズ駆動機構２４にレンズ駆動力を与える。
【００６１】
レンズ駆動機構２４は、例えばヘリコイドおよび該ヘリコイドを回転させる図示省略のギア等で構成され、ＡＦアクチュエータ７１Ｍからの駆動力を受けて、フォーカスレンズ２１１等を光軸ＬＴと平行な方向に駆動させるものである。なお、フォーカスレンズ２１１の移動方向および移動量は、それぞれＡＦアクチュエータ７１Ｍの回転方向および回転数に従う。
【００６２】
レンズ位置検出部２５は、レンズ群２１の移動範囲内において光軸ＬＴ方向に複数個のコードパターンが所定ピッチで形成されたエンコード板と、このエンコード板に摺接しながらレンズと一体的に移動するエンコーダブラシとを備えており、レンズ群２１の焦点調節時の移動量を検出する。なお、レンズ位置検出部２５で検出されたレンズ位置は、例えばパルス数として出力される。
【００６３】
レンズ制御部２６は、例えば制御プログラムを記憶するＲＯＭまたは状態情報に関するデータを記憶するフラッシュメモリ等のメモリが内蔵されたマイクロコンピュータからなっている。
【００６４】
また、レンズ制御部２６は、コネクタＥｃを介してカメラボディ１０の全体制御部６２との間で通信を行う通信機能を有している。これにより、例えばレンズ群２１の焦点距離、絞り値、合焦距離または周辺光量状態等の状態情報データ、およびレンズ位置検出部２５で検出されるフォーカスレンズ２１１の位置情報を全体制御部６２に送信できるとともに、全体制御部６２から例えばフォーカスレンズ２１１の駆動量のデータを受信できる。
【００６５】
絞り駆動機構２７は、カプラ７５を介して絞り駆動アクチュエータ７６Ｍからの駆動力を受けて、絞り２３の絞り径を変更するものである。
【００６６】
続いて、カメラボディ１０の電気的構成について説明する。カメラボディ１０は、上述の撮像素子１０１、シャッターユニット４０等の他に、ＡＦＥ（アナログフロントエンド）５、画像処理部６１、画像メモリ６１４、全体制御部６２、フラッシュ回路６３、操作部６４、ＶＲＡＭ６５、カードＩ／Ｆ６６、メモリカード６７、通信用Ｉ／Ｆ６８、電源回路６９、電池６９Ｂ、ミラー駆動制御部７２Ａ、シャッター駆動制御部７３Ａ、および絞り駆動制御部７６Ａを備えている。
【００６７】
撮像素子１０１は、先に説明した通りＣＭＯＳカラーエリアセンサからなり、後述のタイミング制御回路５１により、当該撮像素子１０１の露光動作の開始（および終了）、撮像素子１０１が備える各画素の出力選択、および画素信号の読出し等の撮像動作が制御される。
【００６８】
ＡＦＥ５は、撮像素子１０１に対して所定の動作を行わせるタイミングパルスを与えるとともに、撮像素子１０１から出力される画像信号に所定の信号処理を施し、デジタル信号に変換して画像処理部６１に出力する機能を有している。このＡＦＥ５は、タイミング制御回路５１、信号処理部５２およびＡ／Ｄ変換部５３などを備えて構成されている。
【００６９】
タイミング制御回路５１は、全体制御部６２から出力される基準クロックに基づいて所定のタイミングパルス（垂直走査パルスφＶｎ、水平走査パルスφＶｍ、リセット信号φＶｒ等を発生させるパルス）を生成して撮像素子１０１に出力し、撮像素子１０１の撮像動作を制御する。また、所定のタイミングパルスを信号処理部５２およびＡ／Ｄ変換部５３にそれぞれ出力することにより、信号処理部５２およびＡ／Ｄ変換部５３の動作を制御する。
【００７０】
信号処理部５２は、撮像素子１０１から出力されるアナログの画像信号に所定のアナログ信号処理を施すものである。この信号処理部５２には、ＣＤＳ（相関二重サンプリング）回路、ＡＧＣ（オートゲインコントロール）回路およびクランプ回路等が備えられている。Ａ／Ｄ変換部５３は、信号処理部５２から出力されたアナログのＲ、Ｇ、Ｂの画像信号を、タイミング制御回路５１から出力されるタイミングパルスに基づいて、複数のビット（例えば１２ビット）からなるデジタルの画像信号に変換するものである。
【００７１】
画像処理部６１は、ＡＦＥ５から出力される画像データに所定の信号処理を行って画像ファイルを作成するもので、黒レベル補正回路６１１、ホワイトバランス制御回路６１２およびガンマ補正回路６１３等を備えて構成されている。なお、画像処理部６１へ取り込まれた画像データは、撮像素子１０１の読み出しに同期して画像メモリ６１４に一旦書き込まれ、以後この画像メモリ６１４に書き込まれた画像データにアクセスして、画像処理部６１の各ブロックにおいて処理が行われる。
【００７２】
黒レベル補正回路６１１は、Ａ／Ｄ変換部５３によりＡ／Ｄ変換されたＲ、Ｇ、Ｂの各デジタル画像信号の黒レベルを、基準の黒レベルに補正するものである。
【００７３】
ホワイトバランス制御回路６１２は、光源に応じた白の基準に基づいて、Ｒ（赤）、Ｇ（緑）、Ｂ（青）各色成分のデジタル信号のレベル変換（ホワイトバランス（ＷＢ）調整）を行う。具体的には、ホワイトバランス制御回路６１２は、全体制御部６２から与えられるＷＢ調整データに基づき、輝度または彩度データ等から撮影被写体において本来白色であると推定される部分を特定し、その部分のＲ、Ｇ、Ｂそれぞれの色成分の平均と、Ｇ／Ｒ比およびＧ／Ｂ比とを求め、これをＲ、Ｂの補正ゲインとしてレベル補正する。
【００７４】
ガンマ補正回路６１３は、ＷＢ調整された画像データの階調特性を補正するものである。具体的には、ガンマ補正回路６１３は、予め設定されたガンマ補正用テーブルを用いて、画像データのレベルを色成分毎に非線形変換するとともにオフセット調整を行う。
【００７５】
画像メモリ６１４は、撮影モード時には、画像処理部６１から出力される画像データを一時的に記憶するとともに、この画像データに対し全体制御部６２により所定の処理を行うための作業領域として用いられるメモリである。また、再生モード時には、メモリカード６７から読み出した画像データを一時的に記憶する。
【００７６】
全体制御部６２は、マイクロコンピュータとして構成され、主にＣＰＵ、ＲＡＭ６２Ａ、およびＲＯＭ６２Ｂ等を備える。全体制御部６２は、ＲＯＭ６２Ｂ内に格納されるプログラムを読み出し、当該プログラムをＣＰＵで実行することによって、撮像装置１Ａの各種機能を実現する。
【００７７】
全体制御部６２は、上述のプログラムの実行によって、動作制御部６２１に含まれる各制御部（具体的には、表示制御部６２２、位相差ＡＦ制御部６２３、露出制御部６２４およびブレ補正制御部６２５）および指示制御部６２６を機能的に実現する。
【００７８】
表示制御部６２２は、ＬＣＤ３１１における表示内容を制御する。例えば、表示制御部６２２は、撮像素子１０１によって連続的に取得される複数の画像のそれぞれをライブビュー画像としてＬＣＤ３１１に順次に表示させる。また、表示制御部６２２は、ＬＣＤ３１１の点灯／消灯をも制御する。
【００７９】
位相差ＡＦ制御部６２３は、位相差検出方式により合焦位置検出を行い自動合焦動作（「位相差ＡＦ動作」とも称する）を実行する。具体的には、位相差ＡＦ制御部６２３は、ＡＦモジュール１０７によって取得される位相差検出信号からの出力信号に基づいて、合焦時の撮影レンズ（より詳細にはフォーカスレンズ）の位置（合焦レンズ位置）を特定する合焦レンズ位置特定動作（単に「焦点検出動作」とも称する）を行う。
【００８０】
露出制御部６２４は、シャッタースピードと絞り値とを調節する露出制御を行うものである。具体的には、露出制御部６２４は、測光素子１０９からの被写体の輝度情報に基づいて露出値を決定し、さらに、決定した露出値に基づいてシャッタースピードおよび絞り値を設定する。
【００８１】
ブレ補正制御部６２５は、ブレ検出部９９の出力信号（ブレ信号）に基づき、ブレ補正ユニット１００を駆動して撮像素子１０１を移動させ、手ブレ等に起因する撮像装置１Ａのブレを補正する機能を有している。
【００８２】
指示制御部６２６は、接眼検知部３２２によって接眼が検知された場合に、接眼検知をトリガとして、接眼検知に応じた動作（「接眼による所定動作」または「接応動作」とも称する）ＫＡの実行指示を行う。詳細は、後述する。
【００８３】
フラッシュ回路６３は、フラッシュ撮影モードにおいて、フラッシュ部３１８または接続端子部３１９に接続される外部フラッシュの発光量を、全体制御部６２により設定された発光量に制御するものである。
【００８４】
操作部６４は、上述のモード設定ダイアル３０５、制御値設定ダイアル３０６、シャッターボタン３０７、設定ボタン群３１２、方向選択キー３１４、プッシュボタン３１５、およびメインスイッチ３１７等を含み、操作情報を全体制御部６２に入力するためのものである。
【００８５】
ＶＲＡＭ６５は、ＬＣＤ３１１の画素数に対応した画像信号の記憶容量を有し、全体制御部６２とＬＣＤ３１１との間のバッファメモリである。カードＩ／Ｆ６６は、メモリカード６７と全体制御部６２との間で信号の送受信を可能とするためのインターフェースである。メモリカード６７は、全体制御部６２で生成された画像データを保存する記録媒体である。通信用Ｉ／Ｆ６８は、パーソナルコンピュータまたはその他の外部機器に対する画像データ等の伝送を可能とするためのインターフェースである。
【００８６】
電源回路６９は、例えば定電圧回路等からなり、全体制御部６２、撮像素子１０１、その他の各種駆動制御部等、撮像装置１Ａ全体を駆動させるための電圧を生成する。なお、撮像素子１０１への通電制御は、全体制御部６２から電源回路６９に与えられる制御信号により行われる。電池６９Ｂは、アルカリ乾電池等の一次電池、またはニッケル水素充電池等の二次電池からなり、撮像装置１Ａ全体に電力を供給する電源である。
【００８７】
ミラー駆動制御部７２Ａは、ファインダモードの切り替え或いは撮影動作のタイミングに合わせて、ミラー駆動アクチュエータ７２Ｍを駆動させる駆動信号を生成するものである。ミラー駆動アクチュエータ７２Ｍは、ミラー機構８を、水平姿勢若しくは傾斜姿勢に回動させるアクチュエータである。
【００８８】
シャッター駆動制御部７３Ａは、全体制御部６２から与えられる制御信号に基づき、シャッター駆動アクチュエータ７３Ｍに対する駆動制御信号を生成するものである。シャッター駆動アクチュエータ７３Ｍは、シャッターユニット４０の開閉駆動を行うアクチュエータである。
【００８９】
絞り駆動制御部７６Ａは、全体制御部６２から与えられる制御信号に基づき、絞り駆動アクチュエータ７６Ｍに対する駆動制御信号を生成するものである。絞り駆動アクチュエータ７６Ｍは、カプラ７５を介して絞り駆動機構２７に駆動力を与える。
【００９０】
＜接眼検知について＞
次に、接眼検知部３２２について詳述する。
【００９１】
上述のように、接眼検知部３２２は、近接物体の有無を検知するセンサであり、ファインダ窓３１６への物体の接近を検知する接近検知手段として機能する。図６は、ファインダ窓３１６周辺の拡大図である。
【００９２】
図６に示されるように、接眼検知部３２２は、発光部ＳＨと受光部ＳＲとを有している。発光部ＳＨは、赤外光を発光する発光ダイオード（ＬＥＤ）によって構成され、受光部ＳＲは、赤外光を受光して受光信号を生成する受光素子によって構成されている。このような構成を有する接眼検知部３２２では、発光部ＳＨから赤外光が定期的に発光されるとともに、受光部ＳＲにおいて当該発光に同期した反射光の受光が行われる。
【００９３】
例えば、ユーザがファインダ窓３１６を覗いた場合は、発光部ＳＨから発光された赤外光は、人体（顔）で反射され、受光部ＳＲにおいて受光される。赤外光を受光すると、接眼検知部３２２は、「接眼を検知した」旨の信号を接眼検知情報として全体制御部６２に出力する。
【００９４】
上述のように、本実施形態の撮像装置１Ａでは、接眼検知情報が全体制御部６２に入力されると、指示制御部６２６によって接眼検知に応じた動作ＫＡの実行指示が行われる。具体的には、接眼検知情報を受けると、指示制御部６２６は、接眼による所定動作ＫＡを実行させる動作制御部６２１に対して、動作の開始を指示する。
【００９５】
接眼検知に応じた動作ＫＡとしては、例えば、焦点検出または測光等の撮影準備動作がある。
【００９６】
より詳細には、指示制御部６２６は、接眼検知に応じて焦点検出動作を開始させることができる。この場合、接眼が検知されると指示制御部６２６は、位相差ＡＦ制御部６２３に対して焦点検出動作の開始を指示する。なお、接眼検知に応じて開始される焦点検出動作は、アイスタートＡＦとも称される。
【００９７】
また、指示制御部６２６は、接眼検知に応じて測光素子１０９による測光動作を開始させることができる。この場合、接眼が検知されると指示制御部６２６は、露出制御部６２４に対して露出制御動作の開始を指示する。
【００９８】
また、指示制御部６２６は、接眼検知に応じて手ブレ補正動作を開始させることができる。この場合、接眼が検知されると指示制御部６２６は、ブレ補正制御部６２５に対して手ブレ補正動作の開始を指示する。
【００９９】
また、接眼検知に応じた動作ＫＡとしては、例えば、ＬＣＤ３１１の自動消灯動作（「自動ＯＦＦ動作」とも称する）がある。具体的には、ユーザがファインダ窓３１６を覗くと、ＬＣＤ３１１を視認することができなくなる。このため、ユーザによる接眼は、ＬＣＤ３１１を使用しないというユーザの意思表示であるとして、接眼が検知されると指示制御部６２６は、表示制御部６２２に対して自動消灯動作を実行させる。これにより、ＬＣＤ３１１を消灯（オフ）させることができる。
【０１００】
なお、ユーザは、メニュー画面上でのボタン操作（単に「メニュー操作」とも称する）によって、接眼検知に応じた上記各動作ＫＡを実行させるか否かを選択することができる。すなわち、指示制御部６２６は、上記各接応動作ＫＡのうち、実行させる旨の設定（実行設定）が施された動作についての実行指示を行う。
【０１０１】
＜アイピースシャッターについて＞
次に、アイピースシャッター１０８について詳述する。図７は、アイピースシャッター１０８の閉状態ＱＡを示す図である。図８は、アイピースシャッター１０８の開状態ＱＢを示す図である。
【０１０２】
本実施形態の撮像装置１Ａでは、接眼レンズ１０６とファインダ窓３１６との間に設けられたアイピースシャッター１０８によってファインダ窓３１６から撮像装置１Ａの内部に進入する外光が遮蔽される。
【０１０３】
具体的には、図７および図８に示されるように、アイピースシャッター１０８は、複数枚（ここでは３枚）のシャッター羽根４１と、シャッター羽根駆動機構４２と、開閉状態検出部（単に「状態検出部」とも称する）４３とを有している。
【０１０４】
シャッター羽根駆動機構４２は、開閉つまみ３２０（図２参照）に連結されており、ユーザによる開閉つまみ３２０の操作（「つまみ操作」とも称する）に応じて、シャッター羽根４１の開閉動作を行う。
【０１０５】
より詳細には、ユーザによって開閉つまみ３２０が「閉」位置に設定されると、当該つまみ操作に連動してシャッター羽根４１はひろがり（図７参照）、ファインダ窓３１６を通過するファインダ光路ＰＡがシャッター羽根４１によって遮られた閉状態ＱＡとなる。すなわち、開閉つまみ３２０が「閉」位置に設定されると、ファインダ窓３１６からの外光の進入が遮断された状態（遮光状態）となる。
【０１０６】
一方、開閉つまみ３２０が「開」位置に設定されると、当該つまみ操作に連動してシャッター羽根４１はファインダ光路から退避するように畳まれ（図８参照）、ファインダ光路ＰＡが確保された開状態ＱＢとなる。すなわち、開閉つまみ３２０が「開」位置に設定されると、ファインダ窓３１６からの外光の進入が遮断されない非遮光状態となる。
【０１０７】
また、開閉状態検出部４３は、アイピースシャッター１０８の閉状態ＱＡ、すなわち遮光状態を検出する機能を有している。例えば、開閉状態検出部４３は、シャッター羽根４１の位置を検出するセンサによって構成され、アイピースシャッター１０８が閉状態ＱＡになると、「遮光状態である」旨の信号を遮光検出情報（「閉状態検出情報」とも称する）として全体制御部６２に出力する。
【０１０８】
＜アイピースシャッター１０８の閉状態ＱＡにおける動作＞
次に、本実施形態の撮像装置１Ａにおいて、アイピースシャッター１０８の閉状態ＱＡが検出された場合の動作について説明する。図９は、アイピースシャッター１０８の閉状態ＱＡが検出された場合の撮像装置１Ａの動作ブロック図である。
【０１０９】
図９に示されるように、撮像装置１Ａでは、指示制御部６２６は、接眼検知部３２２から接眼検知情報を受けると、動作制御部６２１に対して、接眼検知に応じた動作ＫＡの実行を指示する。
【０１１０】
また、指示制御部６２６は、開閉状態検出部４３から遮光検出情報を受けた場合は、接眼検知に応じた動作ＫＡの実行指示を行わないようにする。具体的には、指示制御部６２６は、開閉状態検出部４３によって遮光状態が検出された場合は、ユーザは光学ファインダを用いたフレーミングを行わないとみなして、動作制御部６２１への接眼検知による所定動作ＫＡの実行指示を禁止する。
【０１１１】
例えば、接眼検知に応答して上記撮影準備動作を開始する撮像装置１Ａにおいては、アイピースシャッター１０８が閉状態ＱＡであった場合は、接眼が検知されたときでも撮影準備動作が実行されない。
【０１１２】
より詳細には、接眼検知に応じて焦点検出動作を開始させる態様に設定された撮像装置１Ａにおいては、指示制御部６２６は、アイピースシャッター１０８の閉状態ＱＡが検出された場合は、接眼検知部３２２によって接眼が検知されたときでも、接眼検知に応じた焦点検出動作の実行指示を行わない。
【０１１３】
また、接眼検知に応じて測光動作を開始させる態様に設定された撮像装置１Ａにおいては、指示制御部６２６は、アイピースシャッター１０８の閉状態ＱＡが検出された場合は、接眼検知部３２２によって接眼が検知されたときでも、接眼検知に応じた測光動作の実行指示を行わない。
【０１１４】
また、接眼検知に応じて手ブレ補正動作を開始させる態様に設定された撮像装置１Ａにおいては、光学ファインダモードが選択されている状態で、アイピースシャッター１０８の閉状態ＱＡが検出された場合は、ユーザは三脚を用いた撮影を行うことを意図しているとみなすことができる。したがって、この場合、指示制御部６２６は、接眼検知部３２２によって接眼が検知されたときでも、接眼検知に応じた手ブレ補正動作の実行指示を行わない。
【０１１５】
また、接眼検知に応答してＬＣＤ３１１の電源をオフさせる撮像装置１Ａにおいては、指示制御部６２６は、アイピースシャッター１０８が遮光状態であった場合は、接眼検知部３２２によって接眼が検知されたときでも、接眼検知に応じた電源オフ動作の実行指示を行わない。これによれば、接眼検知情報を受けても、ＬＣＤ３１１の点灯状態（オン状態）を継続させることができる。
【０１１６】
以上のように、撮像装置１Ａでは、アイピースシャッター１０８の閉状態ＱＡが検出された状態では、接眼検知に応じた実行指示を行わないように制御される。これによれば、例えば、ユーザの手が接眼検知部３２２の近くを通過した場合等、接眼検知部３２２によって近接物体が検出されたときに生じる撮像装置１Ａの誤動作を防止することができる。
【０１１７】
また、ユーザは、メニュー操作によって接眼検知に応じた動作ＫＡを実行させるか否かを設定できるが、メニュー操作による撮影状況に応じた実行／非実行の切替は、ユーザにとって煩雑なものとなる。撮像装置１Ａでは、つまみ操作によるアイピースシャッター１０８の閉状態ＱＡは、光学ファインダを使用しないというユーザの意思表示であるとみなされ、閉状態ＱＡが検出された場合は、接眼検知に応じた動作ＫＡが自動的に実行されない。このため、撮像装置１Ａでは、煩雑な操作を行うことなく、ユーザにとって意図通りの撮影を行うことが可能になる。
【０１１８】
＜２．第２実施形態＞
次に、本発明の第２実施形態について説明する。
【０１１９】
第１実施形態に係る撮像装置１Ａでは、指示制御部６２６によって接眼検知に応じた動作ＫＡの実行／非実行が制御されていたが、第２実施形態に係る撮像装置１Ｂでは、接眼検知に応じた動作ＫＡを実行させる動作制御部６２１において、接眼検知に応じた動作ＫＡの実行／非実行が制御される。図１０は、アイピースシャッター１０８の閉状態ＱＡが検出された場合の撮像装置１Ｂの動作ブロック図である。
【０１２０】
なお、第２実施形態に係る撮像装置１Ｂは、全体制御部６２における機能構成以外は、第１実施形態に係る撮像装置１Ａとほぼ同様の構成および機能（図１〜図５参照）を有しており、共通する部分については同じ符号を付して説明を省略する。
【０１２１】
図１０に示されるように、撮像装置１Ｂでは、動作制御部６２１は、接眼検知部３２２から接眼検知情報を受けると、接眼検知に応じた動作ＫＡを実行する。
【０１２２】
また、動作制御部６２１は、開閉状態検出部４３から遮光検出情報を受けた場合は、接眼検知に応じた動作ＫＡの実行を禁止する。具体的には、動作制御部６２１は、開閉状態検出部４３によって遮光状態が検出された場合は、ユーザは光学ファインダを用いたフレーミングを行わないとみなして、接眼検知による所定動作ＫＡの実行を禁止する。
【０１２３】
例えば、接眼検知に応じて焦点検出動作を開始させる態様に設定された撮像装置１Ｂにおいては、位相差ＡＦ制御部６２３は、アイピースシャッター１０８の閉状態ＱＡが検出された場合は、接眼検知部３２２によって接眼が検知されたときでも、接眼検知に応じた焦点検出動作を実行しない。
【０１２４】
このように、撮像装置１Ｂでは、各接応動作ＫＡの実行／非実行が、各接応動作ＫＡを実行させる各制御部において個別に制御される。
【０１２５】
以上のように、撮像装置１Ｂでは、開閉状態検出部４３によって遮光状態が検出された場合は、動作制御部６２１において接眼検知による所定動作ＫＡの実行が禁止される。これによれば、アイピースシャッター１０８の閉状態ＱＡでは、接眼検知部３２２によって近接物体が検出されたときに生じる撮像装置１Ｂの誤動作を防止することができる。
【０１２６】
＜３．第３実施形態＞
次に、本発明の第３実施形態について説明する。
【０１２７】
第３実施形態に係る撮像装置１Ｃは、接眼検知部３２２への給電制御を行う給電制御部６２７を有している。当該撮像装置１Ｃは、アイピースシャッター１０８の閉状態ＱＡが検出された場合は、給電制御部６２７によって接眼検知部３２２への給電を停止して接眼検知に応じた動作ＫＡを実行しないようにする。図１１は、アイピースシャッター１０８の閉状態ＱＡが検出された場合の撮像装置１Ｃの動作ブロック図である。
【０１２８】
なお、第３実施形態に係る撮像装置１Ｃは、全体制御部６２における機能構成以外は、第１実施形態に係る撮像装置１Ａとほぼ同様の構成および機能（図１〜図５参照）を有しており、共通する部分については同じ符号を付して説明を省略する。
【０１２９】
図１１に示されるように、全体制御部６２では、ＲＯＭ６２Ｂ内のプログラムの実行によって給電制御部６２７がさらに実現される。
【０１３０】
給電制御部６２７は、開閉状態検出部４３からの遮光検出情報に応じて、接眼検知部３２２への電力の供給を制御し、接眼検知部３２２の能動化／非能動化を制御する。具体的には、給電制御部６２７は、開閉状態検出部４３によって遮光状態が検出された場合は、光学ファインダを用いたフレーミングを実行できないことから接眼検知は意味のないものと判断して接眼検知部３２２への電力供給を中止（停止）する。これにより、接眼検知部３２２は、非能動化される。
【０１３１】
このように、アイピースシャッター１０８の閉状態ＱＡが検出された場合に、接眼検知部３２２を停止させる（非能動化する）ことによれば、アイピースシャッター１０８の閉状態ＱＡでは、接眼検知情報自体が接眼検知部３２２から出力されなくなる。すなわち、アイピースシャッター１０８の閉状態ＱＡで、動作制御部６２１によって接眼検知に応じた動作が実行されるという誤動作を回避することができる。また、アイピースシャッター１０８の閉状態ＱＡにおいては、接眼検知部３２２への給電が停止されるので、接眼検知部３２２で消費される電力を節約することができ、撮像装置１Ｃの電力消費を低減させることができる。
【０１３２】
＜４．変形例＞
以上、この発明の実施の形態について説明したが、この発明は上記説明した内容のものに限定されるものではない。
【０１３３】
例えば、上記各実施形態においては、開閉つまみ３２０を用いたつまみ操作によって、アイピースシャッター１０８の閉状態ＱＡと開状態ＱＢとを切り替えていたが、これに限定されない。
【０１３４】
具体的には、シャッター羽根駆動機構４２にモータを新たに設け、全体制御部６２からの駆動制御信号に応じて当該モータを駆動して、アイピースシャッター１０８の開閉動作を実行してもよい。これによれば、ユーザは、簡易なボタン操作等によってアイピースシャッター１０８の開閉状態を変化させることができる。
【図面の簡単な説明】
【０１３５】
【図１】本発明の第１実施形態に係る撮像装置の外観構成を示す図である。
【図２】本発明の第１実施形態に係る撮像装置の外観構成を示す図である。
【図３】撮像装置の縦断面図である。
【図４】撮像装置の縦断面図である。
【図５】撮像装置の電気的な構成を示すブロック図である。
【図６】ファインダ窓周辺の拡大図である。
【図７】アイピースシャッターの閉状態を示す図である。
【図８】アイピースシャッターの開状態を示す図である。
【図９】アイピースシャッターの閉状態が検出された場合の撮像装置の動作ブロック図である。
【図１０】アイピースシャッターの閉状態が検出された場合の第２実施形態に係る撮像装置の動作ブロック図である。
【図１１】アイピースシャッターの閉状態ＱＡが検出された場合の第３実施形態に係る撮像装置の動作ブロック図である。
【符号の説明】
【０１３６】
１Ａ，１Ｂ，１Ｃ  撮像装置
３１６  ファインダ窓
３２２  接眼検知部
４３  開閉状態検出部
６２  全体制御部
６２１  動作制御部
６２２  表示制御部
６２３  位相差ＡＦ制御部
６２４  露出制御部
６２５  ブレ補正制御部
６２６  指示制御部
６２７  給電制御部
９９  ブレ検出部
１００  ブレ補正ユニット
１０８  アイピースシャッター
１０９  測光素子
３１１  ＬＣＤ
【図１】
2009198684.tif 000003
【図２】
2009198684.tif 000004
【図３】
2009198684.tif 000005
【図４】
2009198684.tif 000006
【図５】
2009198684.tif 000007
【図６】
2009198684.tif 000008
【図７】
2009198684.tif 000009
【図８】
2009198684.tif 000010
【図９】
2009198684.tif 000011
【図１０】
2009198684.tif 000012
【図１１】
2009198684.tif 000013